(57)【要約】【課題】比較的小容量の記憶装置を利用して、犯行の起きた前後の画像を確実に保存する。【解決手段】監視対象の画像データを取得するカメラ１２と、画像データを、連続的にエンドレス方式で記録する記録装置１４と、衝撃音等を検出したときに検知信号を出力するセンサ１６と、画像データに時刻表示装置２２の出力した時刻データを付加しセンサ１６の検知信号が入力したとき、時刻データを取得して、当該時刻よりも一定時間前から一定時間後までに記録装置１４に記録された画像データを選択して、データメモリ２０に記憶させるコントローラ１８と、警報情報を外部に出力する警報情報出力端子２４とを備えている。【選択図】図１
0003124169.tif 000002
【実用新案登録請求の範囲】
【請求項１】
監視対象を連続的に撮影して、画像データを取得する機能を有するカメラと、
前記カメラの取得した画像データを、連続的にエンドレス方式で記録する機能を有する記録装置と、
衝撃音または加速度を検出したときに検知信号を出力する機能を有するセンサと、
現在時刻を表示する時刻データを出力する機能を有する時刻表示装置と、
前記記録装置に記憶された画像データの一部を、警報情報として記憶する機能を有するデータメモリと、
前記カメラの撮影した画像データに前記時刻表示装置の出力した時刻データを付加して、撮影時刻を表示した画像データを前記記録装置に連続的に記録し、前記センサの検知信号が入力したとき、前記時刻データを取得して、当該時刻よりも一定時間前から一定時間後までに前記記録装置に記録された前記画像データを選択して、前記データメモリに記憶させる機能を有するコントローラと、
前記データメモリに記憶された警報情報を外部に出力する機能を有する警報情報出力端子と、
を備えたことを特徴とする警報監視装置。
【請求項２】
請求項１に記載の警報監視装置において、
前記センサは加速度センサであって、基準値以上の加速度を検出したときに、検知信号を出力することを特徴とする警報監視装置。
【請求項３】
請求項１に記載の警報監視装置において、
前記センサは、基準レベル以上の衝撃音を検出したときに、検知信号を出力することを特徴とする警報監視装置。
【請求項４】
請求項１に記載の警報監視装置において、
前記センサは、歪みもしくは圧力センサであって、基準値以上の歪みもしくは圧力を検出したときに、検知信号を出力することを特徴とする警報監視装置。
【請求項５】
請求項１乃至４のいずれかに記載の警報監視装置において、
前記コントローラは、前記センサの検知信号が入力したとき、アラームを鳴動させることを特徴とする警報監視装置。
【請求項６】
請求項１乃至４のいずれかに記載の警報監視装置において、
前記コントローラは、前記記録装置に記録する画像データを、外部モニタに出力する機能を有することを特徴とする警報監視装置。
【考案の詳細な説明】
【技術分野】
【０００１】
本考案は、ガラス窓等を割って侵入するような盗難事件に対して、警報を発し証拠資料を収集する目的に使用される警報監視装置に関する。
【背景技術】
【０００２】
この分野では、既に次のような技術が紹介されている。
例えば、自動車盗難、車上荒らし等を迅速に発見、検知するために、これらの行為を迅速に検知し複数の端末側装置へメッセージと侵入者の画像写真を通報することができるシステムが開発されている（特許文献１参照）。
【特許文献１】特開２００５−２９１３８号公報
【考案の開示】
【考案が解決しようとする課題】
【０００３】
既知の従来の技術には、次のような解決すべき課題があった。
既知のシステムは大規模でコストがかかりすぎる。また、簡便なものは十分な防犯効果を発揮し得ない。また、監視カメラの撮影画像は一定の時間を経過すると新しい撮影画像に書き換えられるから、犯行現場の撮影記録が無いことがある。一方、監視カメラの撮影画像を長時間録画しておくには、大容量の記憶装置が必要になる。
【０００４】
上記の課題を解決するために、本考案は、比較的小容量の記憶装置を利用して、犯行の起きた前後の画像を確実に保存することができる、警報監視装置等を提供することを目的とする。
【課題を解決するための手段】
【０００５】
以下の構成は上記の課題を解決するための手段である。
〈構成１〉
監視対象を連続的に撮影して、画像データを取得する機能を有するカメラと、上記カメラの取得した画像データを、連続的にエンドレス方式で記録する機能を有する記録装置と、衝撃音または加速度を検出したときに検知信号を出力する機能を有するセンサと、現在時刻を表示する時刻データを出力する機能を有する時刻表示装置と、上記記録装置に記憶された画像データの一部を、警報情報として記憶する機能を有するデータメモリと、上記カメラの撮影した画像データに上記時刻表示装置の出力した時刻データを付加して、撮影時刻を表示した画像データを上記記録装置に連続的に記録し、上記センサの検知信号が入力したとき、上記時刻データを取得して、当該時刻よりも一定時間前から一定時間後までに上記記録装置に記録された上記画像データを選択して、上記データメモリに記憶させる機能を有するコントローラと、データメモリに記憶された警報情報を外部に出力する機能を有する警報情報出力端子と、を備えたことを特徴とする警報監視装置。
【０００６】
コントローラは、カメラの撮影した画像データに時刻表示装置の出力した時刻データを付加して、撮影時刻を表示した画像データを記録装置に連続的に記録する。さらに、センサの検知信号が入力したとき、時刻データを取得して、当該時刻よりも一定時間前から一定時間後までに記録装置に記録された画像データを選択して、データメモリに記憶させる。これにより、ガラスが割られた衝撃音等を検知したとき、その少し前から暫く後までの犯行の一部始終を、データメモリ側に転記することができる。
【０００７】
〈構成２〉
構成１に記載の警報監視装置において、上記センサは加速度センサであって、基準値以上の加速度を検出したときに、検知信号を出力することを特徴とする警報監視装置。
【０００８】
装置を、ドアや窓枠その他犯行時に衝撃を受けやすい場所に固定しておくと、例えば、ドアを無理に開けたとき等に衝撃を検知して、犯行の前後の画像データを取得できる。
【０００９】
〈構成３〉
構成１に記載の警報監視装置において、上記センサは、基準レベル以上の衝撃音を検出したときに、検知信号を出力することを特徴とする警報監視装置。
【００１０】
このセンサは、マイクでよい。ガラスを割る音や、機材を壊す音に反応して検知信号を出力する。ガラスを割って侵入したときには、かなり大きな音がする。基準レベル以上の衝撃音を検出したときにこれを検知するとよい。
【００１１】
〈構成４〉
構成１に記載の警報監視装置において、上記センサは、歪みもしくは圧力センサであって、基準値以上の歪みもしくは圧力を検出したときに、検知信号を出力することを特徴とする警報監視装置。
【００１２】
このセンサは、圧電体や歪みゲージでよい。機材を破壊するときに加わる圧力を検知して検知信号を出力する。
【００１３】
〈構成５〉
構成１乃至４のいずれかに記載の警報監視装置において、上記コントローラは、上記センサの検知信号が入力したとき、アラームを鳴動させることを特徴とする警報監視装置。
【００１４】
ガラス等が割られたときに、警報音を発生して、犯人を追い出す効果がある。
【００１５】
〈構成６〉
構成１乃至４のいずれかに記載の警報監視装置において、上記コントローラは、上記記録装置に記録する画像データを、外部モニタに出力する機能を有することを特徴とする警報監視装置。
【００１６】
この警報監視装置を、マンション等の警備用に利用できる。このときは、監視員のいる場所のモニタに画像データを表示できる。なお、画像データは、有線または無線のいずれの方法で送信してもよい。
【考案を実施するための最良の形態】
【００１７】
以下、本考案の実施の態様を具体例を用いて説明する。
【実施例１】
【００１８】
図１は実施例１の警報監視装置１０を示すブロック図である。
警報監視装置１０は、カメラ１２と記録装置１４とセンサ１６とコントローラ１８とデータメモリ２０と時刻表示装置２２と警報情報出力端子２４とを備えている。
カメラ１２は、監視対象を連続的に撮影して、画像データを取得する機能を有するものである。記録装置１４は、カメラ１２の取得した画像データを、連続的にエンドレス方式で記録する機能を有するものである。センサ１６は、衝撃音または加速度を検出したときに検知信号を出力する機能を有するものである。時刻表示装置２２は、現在時刻を表示する時刻データを出力する機能を有するものである。
【００１９】
データメモリ２０は、記録装置１４に記憶された画像データの一部を、警報情報として記憶する機能を有するものである。外付けメモリでも内蔵メモリでも構わない。コントローラ１８は、カメラ１２の撮影した画像データに時刻表示装置２２の出力した時刻データを付加して、撮影時刻を表示した画像データを記録装置１４に連続的に記録し、センサ１６の検知信号が入力したとき、時刻データを取得して、当該時刻よりも一定時間前から一定時間後までに記録装置１４に記録された画像データを選択して、データメモリ２０に記憶させる機能を有するものである。警報情報出力端子２４は、データメモリ２０に記憶された警報情報を外部に出力する機能を有するものである。
【００２０】
カメラ１２は、例えば、ＣＣＤカメラ１２を使用する。小型省電力で、広角レンズを備えたものが好ましい。監視対象は任意である。例えば、自動販売機にこの警報監視装置１０を取り付けるときは、自動販売機の内部から自動販売機の正面にレンズを向けて、自動販売機前方を監視対象とする。住宅の入り口にこの装置を取り付けるときは、玄関ドアの前のスペースが監視対象になる。カメラ１２は、泥棒の侵入現場を撮影するために、監視対象を連続的に撮影する。必ずしも精細な動画撮影でなくてよいが、一定時間置きに１コマずつ撮影をする機能が必要である。連続的というのは、十分に短い時間間隔で一定時間置きに周期的にという意味である。窓ガラスを割った瞬間を撮影できるためには、実用上、１秒以下の周期が好ましい。
【００２１】
記録装置１４は、ハードディスクでも、テープレコーダ式のものでも、半導体メモリでも構わない。カメラ１２の取得した画像データを連続的に、エンドレス方式で記録するので、十分に大容量のものが好ましい。エンドレス方式に記録する技術は既知の技術を利用するとよい。センサ１６は、衝撃音または加速度を検出する。このセンサ１６には、市販の任意の性能のものを使用できる。衝撃音は、一定以上のレベルの音が入力したときに、自動的に検知信号を出力するよう設定すれば検知できる。加速度も、一定以上の加速度が検出されたときに、自動的に検知信号を出力するよう設定すれば検知できる。ガラスを割ったり、扉を無理にこじ開けたりする動作を検知できる。
【００２２】
時刻表示装置２２は、コンピュータに内蔵された既知のものでよい。現在時刻を表示する時刻データの形式は任意である。データメモリ２０は、不揮発性の半導体メモリが好ましい。既知の防犯システムでは、エンドレス方式に記録された記録装置１４の内容を解析して犯行現場の撮影記録を取得する。しかし、この探索は容易でないし時間がかかる。また、エンドレスに記録をするので上書きをされてしまった画像データはもう読み取ることかできない。一方あまり長時間録音を可能にすると、記録装置１４のコストが上がる。
【００２３】
この考案では、記録装置１４に記憶された画像データの一部を、衝撃音等が検知されたときに警報情報として記憶するので、データ量も少ない。また、犯行発生時の前後、例えば、直前１分、直後２分というように、一定時間の画像データを記憶するので、速やかに犯行時の撮影画像を取得できる。しかも、記録装置１４が既に上書きして消去してしまった画像データも残しておくことができ、記録装置１４の小型小容量化ができる。データメモリ２０に記憶された警報情報を外部に出力するには、警報情報出力端子２４を利用する。これは、例えば、ＵＳＢインタフェース接続端子であればよい。データメモリは外付けでも内蔵されてもよい。
【００２４】
コントローラ１８は、カメラ１２の撮影した画像データに時刻表示装置２２の出力した時刻データを付加して、撮影時刻を表示した画像データを記録装置１４に連続的に記録する。さらに、センサ１６の検知信号が入力したとき、時刻データを取得して、当該時刻よりも一定時間前から一定時間後までに記録装置１４に記録された画像データを選択して、データメモリ２０に記憶させる。これにより、ガラスが割られた衝撃音等を検知したとき、その少し前から暫く後までの犯行の一部始終を、データメモリ２０側に転記することができる。なお、上記警報監視装置１０は、電源２８で駆動される。電源２８は交流電源あるいは蓄電池等の直流電源のいずれでもよい。
【実施例２】
【００２５】
次に、実施例２の警報監視装置を説明する。すなわち、この警報監視装置では各種のセンサ１６を用いている。
例えば、センサ１６を加速度センサとしたものである。加速度センサを用いることにより、基準値以上の加速度を検出したときに、検知信号を出力するものにすることができる。この警報監視装置を、ドアや窓枠その他犯行時に衝撃を受けやすい場所に固定しておくと、例えば、ドアを無理に開けたとき等に衝撃を検知して、犯行の前後の画像データを取得できる。
【００２６】
また、センサ１６を、基準レベル以上の衝撃音を検出したときに、検知信号を出力するものとすることができる。このセンサ１６は、マイクでよい。ガラスを割る音や、機材を壊す音に反応して検知信号を出力する。ガラスを割って侵入したときには、かなり大きな音がする。基準レベル以上の衝撃音を検出したときにこれを検知するとよい。
【００２７】
また、センサ１６として、歪みもしくは圧力センサ１６を用いたものである。このセンサ１６を用いることにより、基準値以上の歪みもしくは圧力を検出したときに、検知信号を出力するものにすることができる。このセンサ１６は、機材を破壊するときに加わる圧力を検知して検知信号を出力する圧電体や歪みゲージでよい。
【実施例３】
【００２８】
図２は実施例３の警報監視装置１０の説明図である。
図のように、ケースに収納された警報監視装置１０は、その内部に、記録装置１４、コントローラ１８、データメモリ２０、時刻表示装置２２を組み込んでいる。ケース側面には、カメラ１２や警報情報出力端子２４が取り付けられている。警報情報出力端子２４にパーソナルコンピュータを接続して、警報情報の解析ができる。また、外部に、センサ１６やブザー３０を接続する。
なお、本考案においては、カメラ１２は図２に示したようにケース側面に配置されるとは限られず、ケース正面の中心部等に配置されてもよい。また警報監視装置１０はケースに収納しないで、各部品が外部に露出された状態で基板に配置された構造のものでもよい。
【００２９】
コントローラ１８は、センサ１６の検知信号が入力したとき、ブザー３０を鳴動させる。従って、ガラス等が割られたときに、警報音を発生して、犯人を追い出す効果がある。また、コントローラ１８は、記録装置１４に記録する画像データを、外部モニタ２６に出力する機能を有する。従って、この警報監視装置１０を、マンション等の警備用に利用できる。画像データは、有線または無線のいずれの方法で送信してもよい。
【００３０】
以上説明した本考案の警報監視装置は、銀行や郵便局等のＡＴＭ、自動販売機、ガソリンスタンド、マンションやオフィス、自動車、パチンコ遊技台、スーパーやコンビニエンスストア、デパート、店舗、商店のショーウインドウ、学校や保育園等の出入り口や窓、無人交番等のガラスやパネル等を割って侵入のおそれのある広い分野で利用することができる。
【図面の簡単な説明】
【００３１】
【図１】実施例１の警報監視装置を示すブロック図である。
【図２】実施例３の警報監視装置の説明図である。
【符号の説明】
【００３２】
１０  警報監視装置
１２  カメラ
１４  記録装置
１６  センサ
１８  コントローラ
２０  データメモリ
２２  時刻表示装置
２４  警報情報出力端子
２６  外部モニタ
２８  電源
３０  アラーム
【図１】
0003124169.tif 000003
【図２】
0003124169.tif 000004